(57)【要約】【課題】シンプルな構成で、製造が容易であるとともに、製造コストのアップにならず、かつ滑止めカバーの抜出しや剥がれ落ち防止の効果を長く維持できる、手動利器・工具の握り柄における滑止めカバーの抜け・剥がれ防止構造を提供。【解決手段】手動利器・工具Ａの握り柄１の周面を、弾性・軟質性をもつ合成樹脂または合成ゴム材の層２で被覆形成した滑止めカバー３において、その滑止めカバー３を、握り柄１の長さ方向の少なくとも上部寄り位置と下部寄り位置とに形成された表・裏面に通じる小通孔４，５を介して表・裏面で連通する如く形成する。【選択図】        図２
0003113220.tif 000002
【実用新案登録請求の範囲】
【請求項１】
手動利器・工具Ａの握り柄１の周面を、弾性・軟質性をもつ合成樹脂または合成ゴム材の層２で被覆形成した滑止めカバー３において、
その滑止めカバー３が、握り柄１の長さ方向の少なくとも上部寄り位置と下部寄り位置に形成された表・裏面に通じる小通孔４，５を介して、表・裏面で連通する如く形成してあることを特徴する、手動利器・工具の握り柄の滑止めカバーにおける抜け・剥がれ防止構造。
【請求項２】
手動利器・工具Ａの握り柄１の周面を、弾性・軟質性をもつ合成樹脂または合成ゴム材の層２で被覆形成した滑止めカバー３において、
上記握り柄１の長さ方向の少なくとも上部寄り位置と下部寄り位置とに、表・裏面に通じる小通孔４，５が形成されており、その各小通孔４，５を介して滑止めカバー３の合成樹脂または合成ゴム材の層２が連通するように形成されたことを特徴とする、手動利器・工具の握り柄の滑止めカバーにおける抜け・剥がれ防止構造。
【請求項３】
合成樹脂またはゴム材の層２をポリ塩化ビニールとした、請求項１または２に記載の手動利器・工具の握り柄の滑止めカバーにおける抜け・剥がれ防止構造。
【請求項４】
握り柄１の周面への滑り止めカバー３およびその抜止め構造を、浸漬塗布により被覆形成してある、請求項１，２または３に記載の手動利器・工具の握り柄の滑止めカバーにおける抜け・剥がれ防止構造。
【請求項５】
片側の握り柄１に、開止めリング１０を係止する孔１１を形成するものでは、その側の握り柄１の下部寄り位置の小通孔５を省略するようにした、請求項１，２，３または４に記載の手動利器・工具の握り柄の滑止めカバーにおける抜け・剥がれ防止構造。
【考案の詳細な説明】
【技術分野】
【０００１】
本考案は、例えば園芸ばさみ等の手動利器やプライヤー等の手動工具の握り柄を被覆する滑止めカバーにおいて、それが抜け出したり剥がれ落ちることを防止する構造に関するものである。
【背景技術】
【０００２】
近時の園芸はさみやプライヤーその他の手動利器・工具の握り柄は、例えば下記公知文献に見られる如く、握った際の手触り感や手が滑ることを防止するために、握り柄周面に軟質性・弾性のある合成樹脂や合成ゴムを、例えば浸漬塗布（ディップコーテング，ドブ漬けともいう）、刷毛塗り、スプレー塗りまたは粉体塗装等の手段により被覆した滑止めカバーが形成されているのが一般的である。
【特許文献１】特開平５−２５４０６号公報
【特許文献２】特開平１０−１６４９８０号公報
【特許文献３】特開２００４−８１１３５号公報
【特許文献４】特開２００４−１２１０９５号公報
【特許文献５】特開２００４−２０２４８２号公報
【特許文献６】実用新案登録第３０３２５４６号公報
【特許文献７】実用新案登録第３０６４４２５号公報
【考案の開示】
【考案が解決しようとする課題】
【０００３】
ところで、上記手動利器・工具の握り柄に被覆させた滑止めカバーは、握り柄との間で何らかの抜止め構造にしてないと、作業時に加わる力により徐々に握り柄から分離して抜け出すし、また磨耗・損傷や径年劣化によるひび割れ等によって剥がることもある。
【０００４】
それを防止するために、上記のものの中には、握り柄の後端部近傍に他の部分よりやや大径の抜止部や引掛かり部を形成して、滑止めカバーの後端部を掛止するようにしたものや（上記特許文献７参照）、握り柄に小孔を形成しておき、滑止めカバーと一体形成した樹脂製内層部材に小突起を形成して、上記小孔に該小突起を嵌合させて滑止めカバーを係止させたりしたものがある（例えば上記特許文献３参照）。
【０００５】
しかしながら、滑止めカバーの抜止め用として握り柄に他の部分より大径の抜止部や引掛かり部を形成したり、握り柄に小孔を形成すると共にカバー側に小突起を形成して両者を嵌合させりすることは、製造工程で手間が増えるし、製造コストを引き上げる、という問題点がある。
【０００６】
また、握り柄の後端部近傍に滑止めカバーの抜止部や引掛かり部を形成しただけのものでは、滑止めカバーの磨耗・損傷や径年劣化によるひび割れ等が生じた場合に、後端部寄り部分即ち下部寄り部分は係止されていても、前部寄り部分即ち上部寄り部分から徐々に剥がれ落ちることがある（例えば図４参照。ここでの図面符号は本願のものと一致させてある）。
【０００７】
本考案は、手動利器・工具の握り柄の滑止めカバーについて、従来のものが有する上記問題点の解消を課題として考案したものである。即ち、本考案の目的は、シンプルな構成で、製造が容易であるとともに、製造コストのアップにならず、かつ滑止めカバーの抜出しや剥がれ落ち防止の効果を長く維持できる、手動利器・工具の握り柄における滑止めカバーの抜け・剥がれ防止構造を提供することにある。
【課題を解決するための手段】
【０００８】
本考案に係わる手動利器・工具の握り柄の滑止めカバーにおける抜け・剥がれ防止構造は、
手動利器・工具Ａの握り柄１の周面を、弾性・軟質性をもつ合成樹脂または合成ゴム材の層２で被覆形成した滑止めカバー３において、
上記握り柄１の長さ方向の少なくとも上部寄り位置と下部寄り位置に、表・裏面に通じる小通孔４，５が形成されており、その各小通孔４，５を介して滑止めカバー３の合成樹脂または合成ゴム材の層２が連通するように形成されたものである。
【０００９】
上記構造を換言すれば次のようになる。
手動利器・工具Ａの握り柄１の周面を、弾性・軟質性をもつ合成樹脂または合成ゴム材の層２で被覆形成した滑止めカバー３において、
その滑止めカバー３が、握り柄１の長さ方向の少なくとも上部寄り位置と下部寄り位置に形成された表・裏面に通じる小通孔４，５を介して、表・裏面で連通する如く形成されたものである。
【００１０】
本考案でいう上部寄り位置とは、握り柄１や滑止めカバー３で刃部７寄りの位置・押しバネ９寄りの位置を指し、下部寄り位置とは、握り柄１や滑止めカバー３で後端部寄りの位置を言うものとする。
【考案の効果】
【００１１】
イ）上記構成の手動利器・工具の握り柄における滑止めカバーの抜け・剥がれ防止構造は、その製造に関して、握り柄１の長さ方向の少なくとも上部寄り位置と下部寄り位置の２か所に表・裏に通じる小通孔４，５を形成しておき、後は該握り柄１の周面に弾性・軟質性をもつ合成樹脂または合成ゴム材の層２を、例えば浸漬塗布成形（ディップコーティング）法等により被覆形成すればよい。
【００１２】
そのため、この抜け・剥がれ防止構造付きの滑止めカバー３は、滑止めカバー３の形成とその抜け・剥がれ防止構造の形成とが同時に行えるのであり、シンプルな構成で、製造が容易・迅速に行えるとともに、従来の滑止めカバーと比べて殆どコストをアップせずに製造することができる。
【００１３】
ロ）また上記により被覆形成された滑止めカバー３は、握り柄１に形成した表・裏面に通じる小通孔４，５内を介して、表・裏面で連通するように被覆形成されたものである。即ち、弾性・軟質性をもつ合成樹脂または合成ゴム材の層２が、小通孔４，５内を充填するようにして表・裏面を連通している。
【００１４】
そのため、手動利器・工具を握り柄１のこの滑止めカバー３を握って作業をした際に、該滑止めカバー３が握り柄１から抜け出す方向への力が作用しても、握り柄１の各小通孔４，５を介して表・裏面で連通した滑止めカバー３は、握り柄１から抜け出すことが防止できる。
【００１５】
ハ）さらに、滑止めカバー３の弾性・軟質性をもつ合成樹脂または合成ゴム材の層２を表・裏面で連通させる各小通孔４，５が、握り柄１の長さ方向の少なくとも上部寄り位置と下部寄り位置の２か所に形成されている。
【００１６】
そのため、この手動利器・工具Ａを長期間使用して、滑止めカバー３の擦り切れや経時劣化等でひび割れが生じたりしても、少なくとも上部寄り位置と下部寄り位置の通小孔４，５を充填する如くに、表・裏面で連通する該滑止めカバー３は表・裏面が強固に一体化されているから、下部寄り位置からは勿論のこと、上部寄り位置からも剥がれ落ちたりすることを防止できる。
【考案を実施するための最良の形態】
【００１７】
上記構成において、手動利器・工具Ａとは、例えば各種のはさみ類のような手動利器であり、プライヤーやペンチのような手動工具である。その握り柄１の材質は、金属板製で断面Ｃ形状のものに限らず、金属棒製、プラスチック製、木製のものでもよいし、また握り柄１の形状は、直線状のもの（例えば図１・図２図参照）に限らず、湾曲したものでもよい。
【００１８】
握り柄１の周面を被覆する滑止めカバー３の材質は、例えばポリ塩化ビニール樹脂であることが望ましいが、それに限らず、握り柄１の周面に滑止めカバー３として被覆可能な弾性・軟質性材であれば、例えばポリエチレン樹脂その他の合成樹脂や合成ゴムのようなエラストマーであってもよい。
【００１９】
握り柄１に形成しておく小通孔４，５は、握り柄１の長さ方向の少なくとも上部寄り位置と下部寄り位置との２か所に形成しておくが、さらにその間の１ないし２か所に、等間隔状に形成しておくのがよい（例えば図１・図２参照）。片側（図では右側）の握り柄１に、開止めリング１０を係止する孔１１を形成するものでは、その側の握り柄１には下寄り位置の小通孔５を省略してもよい（上記図１，図２参照）。
【００２０】
上記滑止めカバー３は、握り柄１の周面に合成樹脂または合成ゴム材の層２として被覆形成されるが、その際に合成樹脂または合成ゴム材が上記各小通孔４，５内にも流入し、充填する状態で各小通孔４，５を介して表・裏面で連通するようにしておく。
【００２１】
上記のように握り柄１の周面に滑止めカバー３を被覆形成させる手段は、浸漬塗布成形（ディップコーティング）法によることが、層２の厚みを得やすくかつ各小通孔４，５内へ合成樹脂または合成ゴム材を流入させ易い等から最適であるが、例えば刷毛塗り、スプレー塗りまたは粉体塗装によることも可能である。
【実施例１】
【００２２】
図１ないし図３は、本考案に係る手動利器・工具の握り柄における滑止めカバーの抜け・剥がれ防止構造を、樹木や果実等の切り取りに用いる園芸はさみに用いた実施例を示している。
【００２３】
ここでの手動利器としての園芸はさみＡは、外観は従来公知の園芸はさみと同様の形状をしている。即ち、ここでは一対の刃部７，７は炭素工具鋼（ＳＫ５）製で、刃先ほど細くなった形状をしており、この両刃部７，７の基部寄りを支軸８で軸着して互いに開閉可能としてある。
【００２４】
また上記各刃部７，７の他側部１２には、それを延長する如くここでは軟鋼板（ＳＰＣＣ）製で、長手方向へほぼ直線状に近い形状の握り柄１，１を溶着してあるが、該握り柄１，１の断面形状はその外側面即ち開き方向側面で凸曲面状の断面Ｃ形状としてある（図３参照）。なお、両握り柄１，１間には、それを開き方向側へ付勢する押しバネ９を介装させてある。
【００２５】
さらに上記各握り柄１，１には、刃部７，７に連結させた側を上部とした場合に、その反対側の下端部から上記バネ９を設けた位置の近くまで、その周面にここではポリ塩化ビニール製の滑止めカバー３，３を被覆形成してあり、かつ該両握り柄１，１の下端部寄り間に掛け渡す如く、開止めリング１０を取付けてある。以上は公知の園芸はさみと同様の形態である。
【００２６】
そして本考案では、上記各握り柄１，１を、ここでは厚さ約１．６ｍｍの軟鋼板製を断面Ｃ形状に形成しててあるが、各周面に滑止めカバー３，３を被覆形成する前の段階で、凸曲面状をした外側面部分に長手方向への等間隔位置に小通孔４，５を形成しておく。ここでは上記バネ９を設けた個所に近い上部寄り位置と、他側の下部寄り位置と、その中間位置との３か所に、各々内径約４．５ｍｍの小通孔４，４，５，６，６を形成しておく。またここでは、片側（図では右側）の握り柄１に、開止めリング１０を係止する孔１１を形成してあるので、その握り柄１には下部寄り位置の小通孔５を省略してある。なお、別個に小通孔５を形成してもよいことは勿論である。
【００２７】
上記滑止めカバー３，３の形成には、ここでは浸漬塗布形成（ディップコーティング）法によるものとし、上記の如く小通孔４，４，５，６，６を有する各握り柄１，１を、予め加熱しておいて、ゾル状のポリ塩化ビニール樹脂が入った槽に浸漬させて、各握り柄１，１の所定箇所の周面にビニール樹脂を付着させ、加熱してゲル化した後に水槽に漬けて冷却し、引き上げればよい。
【００２８】
これで、各握り柄１，１の所定箇所の周面に塩化ビニール樹脂製の滑止めカバー３，３が形成されるが、その際同時に、各握り柄１，１に形成した各小通孔４，４，５，６，６に、ゾル状のポリ塩化ビニール樹脂が浸入して充填されることになるから、滑止めカバー３，３は各小通孔４，４，５，６，６を介して表・裏面で連通したものとなる。
【００２９】
このようにして、握り柄１，１に被覆形成された滑止めカバー３，３は、上部寄りと下部寄りと中間部との各小通孔４，４，５，６，６を充填する如くに表・裏面で連通して、表・裏面が強固に一体化されている。そのため、作業中に該カバー３，３が抜け出す方向への力が作用しても、握り柄１，１から抜け出さないし、擦り切れや経時劣化等でひび割れが生じても、従来のものと異なり下部寄り位置からは勿論のこと、上部寄り位置からも剥がれ落ちたることは無い。
【００３０】
なお、上記実施例は園芸はさみについて説明したが、本考案は広く手動利器・工具の握り柄の滑止めカバーをもつものに利用できる。また上記で示した刃部７、握り柄１および滑止めカバー３の材質や、滑止めカバー３の被覆形成手段、小通孔５，６を設ける位置・数等は例示であって、これに限るものではない。
【図面の簡単な説明】
【００３１】
【図１】本考案を園芸はさみの握り柄に用いた実施例を示す斜視図である。
【図２】図１で示したものの要部の一部切欠き正面図である。
【図３】図２におけるＩ−Ｉ線断面図である。
【図４】従来の園芸はさみの握り柄で滑止めカバーが剥がれた状態を示す斜視図である。
【符号の説明】
【００３２】
Ａ−手動利器・工具
１−握り柄
２−層
３−滑止めカバー
４−小通孔
５−小通孔
６−小通孔
７−刃部
８−支軸
９−押バネ
１０−開止めリング
１１−孔
１２−他側部
【図１】
0003113220.tif 000003
【図２】
0003113220.tif 000004
【図３】
0003113220.tif 000005
【図４】
0003113220.tif 000006